【事件の表示】
　特願２００４−１２７２００「画像ファイル管理システム」拒絶査定不服審判事件〔平成１７年１１月　４日出願公開、特開２００５−３０９８６６〕について、次のとおり審決する。
【結　論】
　本件審判の請求は、成り立たない。
【理　由】
第１　手続の経緯
　本願は、平成１６年４月２２日の出願であって、平成１７年３月２５日付けで拒絶理由が通知され、同年６月１日付けで意見書が提出されると共に手続補正がなされ、さらに、同年７月２５日付けで拒絶理由が通知され、同年９月２６日付けで意見書が提出されたが、平成１７年７月２５日付け拒絶理由通知書に記載した理由によって、同年１０月３１日付けで拒絶査定がなされ、これに対し、同年１１月１１日に拒絶査定不服審判の請求がなされたものである。
　
第２　本願発明
　本願の請求項１に係る発明は、平成１７年６月１日付けの手続補正書により補正された特許請求の範囲の請求項１に記載された次のとおりのものである（以下「本願発明」という。）。
「画像ファイルを記憶する画像ファイル記憶手段と、画像ファイルのインデックス情報，リンク情報，リンクファイルについてリンクする意図、理由などを表したリンクの説明情報としてのリンク内容情報，を記憶する記憶手段と、少なくとも基準表示画面を表示できる表示手段と、オペレータが入力した検索テキストが１ワードのテキストであってもその１ワードのテキストがインデックス情報の全ての検索用フィールドの登録テキストに含まれるか否かを判別してその検索条件に合致するファイルを検索する検索手段と、
　検索の結果、指定された画像ファイルを表示する第１領域を基準表示画面内に表示させる第１表示制御手段と、
　検索の結果、指定された画像ファイルのインデック情報を表示する第２領域を基準表示画面内に表示させる第２表示制御手段と、
　検索の結果、指定された画像ファイルにリンクされたリンクファイルのリンク内容情報を表示する第３領域を基準表示画面内に表示させる第３表示制御手段と、
　画像ファイル、インデックス情報が表示されている状態で、その画像ファイルにリンクされたファイルを表示させるための操作ボタン画像を基準表示画面内に表示させる第４表示制御手段と、
　オペレータの前記操作ボタン画像に対する操作があったことに応答して、リンクされたファイルをリンクファイル作成プログラム上から開く処理を行う作成プログラム起動手段とを備え、
　前記第３領域に、リンク内容情報が少なくとも表示されるリンクファイルの複数の内容表示欄とその内容表示欄に対応して、前記操作ボタン画像が設けられた構成とし、
　前記リンク内容情報は、ファイル名として入力するのではなく、システムにおいてテキストとして記憶し、複数の内容表示欄に箇条書きのように表示し、
　新たなウィンドウを開かなくても基準表示画面上にリンクファイルのリンク内容情報が表示されるようにした、ことを特徴とする画像ファイル管理システム。」
　
第３　引用刊行物
（１）原査定の拒絶の理由に引用された特開２００３−９１７１５号公報（平成１５年３月２８日公開。以下、「引用刊行物１」という。）には、次の事項が記載されている。
　
「【００２７】CPU１１は、ユーザの指示に基づいて、通信部２４を介して電子スチルカメラや、スキャナ等より画像データを取得し、記憶部２３に記憶させる。このときCPU１１は、画像データに対する管理情報に基づいて、記憶させた画像データを管理する。」
　
「【０１９９】図２５のトップ画面２０１において、ユーザにより画像の検索タブ５０１が選択されている。検索部２１４は、ユーザが操作することにより入力された検索条件に基づいて画像の検索を開始する検索ボタン５１１、検索条件に該当する画像の件数を表示する該当件数表示欄５１２、および、ユーザが各種検索条件を入力する検索条件欄５１３により構成されている。」
　
「【０２０１】ユーザは入力部２１を操作して、検索条件欄５１３の各欄に検索条件となる画像情報を入力し、検索ボタン５１１を操作することにより、画像の検索を実行させることができる。
【０２０２】図２５において、検索条件５１３は、ファイル名、ファイル更新日時、ファイルサイズ、画像の幅、画像の高さ、画像の種類、関連ファイル名、科目名、作品作成日時、コメント、シャッタースピード、絞り値、露出プログラム、データ作成日時、輝度値、露出補正値、測光方式、フラッシュ、レンズ焦点距離、および、ユーザコメントを入力することができる。検索条件５１２においてユーザが入力可能な検索条件は、上述したものに限らず、何でも良い。」
　
「【０２０５】最初にステップＳ２３１において、CPU１１は、ユーザが入力部２１を操作して検索ボタン５１１を操作されたか否かを判定する。操作されたと判定した場合、CPU１１は、ステップＳ２３２に進み、ユーザにより検索条件欄５１３に入力された検索条件に基づいて画像情報を検索する。」
　
「【０２０７】そして、ステップＳ２３４において、CPU１１は、ユーザにより検索条件欄５１３に入力された検索条件に該当する画像に対応するサムネイル画像をサムネイル画像表示欄５１４に表示する。サムネイル画像を表示させたCPU１１は、ステップＳ２３５に進む。」
　
「【０２１０】以上のようにして、ユーザは、記憶部２３に記憶されている画像データを、対応する画像に関する情報により検索することができる。
【０２１１】また、ユーザがサムネイル画像表示欄５１４に表示されているサムネイル画像の中からサムネイル画像を選択し、図２５のボタン欄２１２に設けられている画像情報ボタン５１５を操作することにより、画像情報編集処理が実行され、ユーザは選択されたサムネイル画像の画像情報を編集することができる。
【０２１２】図２７および図２８のフローチャートを参照して、画像情報編集処理を説明する。
【０２１３】最初にステップＳ２５１において、CPU１１は、出力部２２のディスプレイに、画像情報編集画面を表示する。
【０２１４】図２９は、ディスプレイに表示される画像情報編集画面の表示例を示す図である。
【０２１５】図２９において、画像情報編集画面６０１の上部には、ファイル情報を表示するファイル情報欄６１１が設けられている。また、その下には作品情報を表示する作品情報欄６１２が設けられており、さらに、その下には撮影情報を表示する撮影情報欄６１３が設けられている。」
　
「【０２１７】図２９において、ファイル情報は、ファイル名、ファイルパス名、ファイル更新日時、ファイルサイズ、画像の種類、画像の幅および高さ、並びに関連ファイルパス名により構成されている。また、作品情報は、作成日時およびコメントにより構成されている。」
　
「【０２３０】ステップＳ２６２において、CPU１１は、ユーザが入力部２１を操作することにより、変更ボタン６１８が操作されたか否かを判定する。操作されたと判定した場合、CPU１１は、ステップＳ２６３に進み、画像情報を画像情報編集画面６０１に表示されている内容に変更し、登録する。画像情報を変更したCPU１１は、ステップＳ２６４に進む。」
　
「【０２５６】また、本発明は、図３３に示すようなシステムにおいても実現することができる。
【０２５７】図３３は、本発明を適用した画像処理システムの構成例を示す図である。」
　
　図２９には画像情報編集画面が記載され、その画面においてファイル名等の画像情報をテキストで表示し、ファイル情報欄に、画像と、上下に並べて表示された「関連ファイルパス名１」と「関連ファイルパス名２」の文字列と、これらの文字列の右側であって上下に並べて表示された四角形と、「関連ファイルパス名１」の右側にある四角形内「Ｄ：￥みなとみらい．ｔｘｔ」の文字列と、を表示することが記載されている。
　
　したがって、引用刊行物１には以下の発明（以下、「引用発明１」という。）が記載されている。
「画像ファイルを記憶する記憶部と、
　トップ画面及び画像情報編集画面を表示するディスプレイと、
　記憶部に記憶された画像ファイルを管理すると共に、トップ画面においてファイル名、ファイル更新日時、関連ファイル名等の検索条件欄の各欄に検索条件となる画像情報が入力され、検索ボタンが操作されると、検索条件に基づいて画像情報を検索し、検索条件に該当する画像に対応するサムネイル画像をサムネイル画像表示欄に表示し、そのサムネイル画像表示欄においてユーザによってサムネイル画像が選択され、画像情報ボタンが操作されると、選択されたサムネイル画像の画像情報編集画面を表示し、その画像情報編集画面で変更ボタンが操作されると、画像情報を画像情報編集画面に表示されている内容に変更し登録するＣＰＵを有し、
　画像情報編集画面は、画像と、ファイル名、ファイル更新日時、関連ファイルパス名等の画像情報とを表示し、関連ファイルパス名に関して、「関連ファイルパス名１」、「関連ファイルパス名２」の文字列を上下に並べて表示し、その右側であって上下に並べて表示された四角形と、四角形の中に関連ファイルパス名の文字列を表示する画像処理システム。」
　
（２）原査定の拒絶の理由に引用された特開２００２−１４９７０１号公報（平成１４年５月２４日公開。以下、「引用刊行物２」という。）には、次の事項が記載されている。
　
「【０００７】そこで、本発明は、画像等のファイルを登録する際、付帯情報と共に登録するファイルに関連した参照ファイルも同時に登録することで、登録および検索の手間を軽減できるデータベース管理システム、データベース管理方法、記憶媒体およびプログラムを提供することを目的とする。」
　
「【００２２】このような構成を有するデータベース管理システムでは、クライアントマシン１４から登録された画像データおよび付帯情報はデータベースサーバ１１のＲＡＭ１３（ハードディスク）に保存される。画像データを検索する場合、クライアントマシン１４から付帯情報を入力し、データベースサーバ１１にアクセスして検索を行い、その検索結果をクライアントマシン１４の画像表示装置１７に表示する。」
　
「【００２６】・・・（中略）・・・図５は登録画像ファイルに付帯する情報を入力するための画面を示す図である。」
　
「【００２９】・・・（中略）・・・関連参照ファイル６８を登録する場合、図５の参照ボタン６９を押下し、ファイル選択画面を表示する。図６は関連参照ファイルの選択画面を示す図である。この画面は、Ｗｉｎｄｏｗｓ（登録商標）標準の選択ダイアログ画面である。図６では、登録したいファイルを選択し、開くボタン７５を押下すると、クライアントマシン１４のＲＡＭ１５（ハードディスク）あるいはネットワーク上の他のマシンのＲＡＭなどから指定されたファイルがデータベースサーバ１１のＲＡＭ１３に転送される。関連参照ファイルの形式は特に限定されない。転送が完了すると、図５の登録画面に戻る。」
　
「【００３８】つぎに、データベースサーバ１１に登録されてる画像ファイルを検索する動作を示す。図１３は検索処理手順を示すフローチャートである。このデータベースプログラムは、前述したように、クライアントマシン１４内のハードディスクに格納されており、ＣＰＵ１８によって一旦、ＲＡＭ１５にロードされてから実行される。・・・（中略）・・・一方、検索キーが押下された場合、Ｗｅｂブラウザを起動し、検索条件入力画面を表示する（ステップＳ１３）。図１４は検索条件入力画面を示す図である。
【００３９】図１４の画面上で各項目のどれか１つ以上が入力されるのを待ち（ステップＳ１４）、１つ以上の項目が入力され、検索キー１４２が押下されると、検索結果を表示する（ステップＳ１５）。」
　
「【００４０】図１５は検索結果画面を示す図である。この検索結果画面でチェックＢＯＸ１５１をチェックし、詳細ボタン１５３が押下されたか否かを判別する（ステップＳ１６）。詳細ボタン１５３が押下された場合、詳細項目の表示を行う（ステップＳ１７）。図１６は検索結果の詳細項目画面を示す図である。関連参照ファイルがアイコン１６２に関連付けられている場合、関連参照ファイルの項目にファイル名１６１が表示される。この詳細項目画面で閉じるボタン１６３が押された場合、図１５の検索結果画面に戻る。
【００４１】そして、関連参照ファイルを開くか否かを判別し（ステップＳ１８）、閉じるボタン１６３が押されて関連参照ファイルを閉じる場合、ステップＳ１６の処理に戻り、一方、関連参照ファイルを開く場合、このファイル名１６１をクリックし、データベースサーバ１１のＲＡＭ１３（ハードディスク）に格納されているアイコン関連参照ファイルのコピーをクライアントマシン１４のＲＡＭ１５にダウンロードし（ステップＳ１９）、処理を終了する。」
　
　したがって、引用刊行物２には以下の発明（以下、「引用発明２」という。）が記載されている。
「画像ファイルおよび付帯情報を記憶するデータベースサーバのＲＡＭ（ハードディスク）と、検索条件入力画面、検索結果画面及び検索結果の詳細項目画面を表示するクライアントマシンの画像表示装置と、検索条件入力画面上で付帯情報の１つ以上の項目が入力され検索キーが押下されると画像ファイルを検索するデータベースプログラム及びデータベースサーバと、検索結果画面でチェックＢＯＸをチェックし詳細ボタンを押下すると関連参照ファイルの項目を含む詳細項目画面を表示し、表示された関連参照ファイルのファイル名をクリックすると関連参照ファイルを開くデータベース管理システム」
　
第４　対比
　本願発明と引用発明１とを対比すると、
・引用発明１の画像処理システムは、記憶部に記憶した画像ファイルを管理するから、本願発明の「画像ファイル管理システム」に対応する。
　
・引用発明１の「記憶部」は画像ファイルを記憶するから、本願発明の「画像ファイルを記憶する画像ファイル記憶手段」に対応する。
　
・引用発明１の「画像情報」は、検索条件欄に入力された検索条件に基づいて検索される情報であり、検索のインデックス情報となるものであるから、本願発明の「インデックス情報」に対応する。
　
・引用発明１の「関連ファイルパス名」は、画像情報編集画面において編集の対象となっている画像ファイルと関連ファイルとをリンクさせる情報であるから、本願発明のリンク情報に対応する。
　
・引用発明１の「画像情報」及び「関連ファイルパス名」の情報は本願発明のインデックス情報及びリンク情報に対応し、変更ボタンの操作によって登録されるから、画像ファイルのインデックス情報、リンク情報を記憶する記憶手段を備えているといえる。この記憶手段は本願発明の画像ファイルのインデックス情報、リンク情報を記憶する記憶手段に対応する。
　
・引用発明１のディスプレイは画像情報編集画面を表示するから、本願発明の「少なくとも基準表示画面を表示できる表示手段」のうち、「表示画面を表示できる表示手段」に対応する。
　
・引用発明１の検索条件はファイル名等のテキストを含むから、テキストの検索条件は本願発明の「検索テキスト」に対応する。また、引用発明１の画像情報はファイル名等のテキストを含み、登録されるから、画像情報として登録されたテキストは本願発明の「登録テキスト」に対応する。また、引用発明１のユーザは本願発明の「オペレータ」に対応する。また、引用発明１の画像情報は本願発明の「インデックス情報」に対応する。
　したがって、引用発明１において、ユーザが入力した検索条件に基づいて画像情報を検索し、検索条件に該当する画像に対応するサムネイル画像をサムネイル画像表示欄に表示するための手段は、本願発明の「オペレータが入力した検索テキストが登録テキストに含まれるか否かを判別してその検索条件に合致するファイルを検索する検索手段」に対応する。
　
・引用発明１は、検索条件に該当する画像に対応するサムネイル画像をサムネイル画像表示欄に表示し、そのサムネイル画像表示欄においてユーザによってサムネイル画像が選択され、画像情報ボタンが操作されると、選択されたサムネイル画像の画像情報編集画面を表示する。
　したがって、画像情報編集画面に表示される画像及び画像情報は、検索の結果であり、ユーザによって指定されたものであるといえるから、引用発明１において画像情報編集画面のファイル情報欄に表示される画像は、本願発明の「検索の結果、指定された画像ファイル」に対応する。また、画像情報編集画面において、この画像が表示される範囲は、画像ファイルを表示する領域ということができ、本願発明の第１領域に対応する。そして、引用発明１はその領域を表示しているといえから、この画像を表示する領域を表示するための手段は、本願発明の第１表示制御手段に対応する。
　また、引用発明１における画像情報編集画面に表示される画像情報は、本願発明の「検索の結果、指定された画像ファイルのインデック情報」に対応し、画像情報編集画面において画像情報が表示される範囲は本願発明の「第２領域」に対応し、画像情報を表示する領域を表示するための手段は、本願発明の「第２表示制御手段」に対応する。
　
　よって、本願発明と引用発明１とは以下の点で一致する。
「画像ファイルを記憶する画像ファイル記憶手段と、画像ファイルのインデックス情報，リンク情報を記憶する記憶手段と、表示画面を表示できる表示手段と、オペレータが入力した検索テキストが登録テキストに含まれるか否かを判別してその検索条件に合致するファイルを検索する検索手段と、
　検索の結果、指定された画像ファイルを表示する第１領域を表示画面内に表示させる第１表示制御手段と、
　検索の結果、指定された画像ファイルのインデック情報を表示する第２領域を表示画面内に表示させる第２表示制御手段とを備えた画像ファイル管理システム」
　
そして、以下の点で相違する。
相違点（１）
　本願発明の記憶手段は「リンクファイルについてリンクする意図、理由などを表したリンクの説明情報としてのリンク内容情報」を記憶し、「前記リンク内容情報は、ファイル名として入力するのではなく、システムにおいてテキストとして記憶」するのに対し、引用発明１はリンク内容情報を記憶していない点。
　
相違点（２）
　本願発明の表示手段は少なくとも基準表示画面を表示できるのに対し、引用発明１の表示手段は少なくとも画像情報編集画面を表示できる点。
　
相違点（３）
　本願発明の検索手段は「検索テキストが１ワードのテキストであってもその１ワードのテキストがインデックス情報の全ての検索用フィールドの登録テキストに含まれるか否かを判別」するのに対し、引用発明１の検索手段は、検索テキストが１ワードであるのか否か不明であり、また、検索テキストを含むか否かを判別する対象が、全ての検索用フィールドであるか否か不明である点。
　
相違点（４）
　本願発明の第１表示制御手段及び第２表示制御手段は、第１領域及び第２領域を基準表示画面内に表示するのに対し、引用発明１は画像情報編集画面内に表示する点。
　
相違点（５）
　本願発明は「検索の結果、指定された画像ファイルにリンクされたリンクファイルのリンク内容情報を表示する第３領域を基準表示画面内に表示させる第３表示制御手段」を備えるのに対し、引用発明１はリンク内容情報を表示せず、第３表示制御手段を備えていない点。
　
相違点（６）
　本願発明は「前記第３領域にリンク内容情報が少なくとも表示されるリンクファイルの複数の内容表示欄」が設けられ、リンク内容情報は「複数の内容表示欄に箇条書きのように表示」したのに対し、引用発明１はリンク内容情報を表示しない点。
　
相違点（７）
　本願発明は「新たなウィンドウを開かなくても基準表示画面上にリンクファイルのリンク内容情報が表示されるようにした」のに対し、引用発明１はリンク内容情報を表示しない点。
　
相違点（８）
　本願発明は「画像ファイル、インデックス情報が表示されている状態で、その画像ファイルにリンクされたファイルを表示させるための操作ボタン画像を基準表示画面内に表示させる第４表示制御手段」を備え、第３領域に「内容表示欄に対応して、前記操作ボタン画像が設けられた構成」としたのに対し、引用発明１は第４表示制御手段を備えておらず、操作ボタン画像を表示しない点。
　
相違点（９）
　本願発明は、「オペレータの前記操作ボタン画像に対する操作があったことに応答して、リンクされたファイルをリンクファイル作成プログラム上から開く処理を行う作成プログラム起動手段」を備えるのに対し、引用発明１は作成プログラム起動手段を備えていない点。
　
第５　当審の判断
上記相違点（１）について
　引用発明１の関連ファイルパス名において、関連ファイルはリンクファイルであるといえる。
　また、情報処理の技術分野において、リンクを画面に表示する際に、ファイル名を表示するのみではリンク先に何があるのかわからないため、ファイル名と共にファイルの内容を説明するテキストを表示することは周知である（ローラ・リメイ著、武舎広幸　他２名訳、「ＨＴＭＬ入門　ＷＷＷページの作成と公開」、初版、株式会社プレンティスホール出版、１９９６年９月１日、Ｐ．８９−Ｐ．９１。「曖昧なリンク」の項目参照）。リンクファイルの内容の説明はリンクの説明情報としてのリンク内容情報であるといえ、その際、リンクの説明情報として、リンクする意図、理由などとすることは当業者が適宜なし得ることである。また、該説明をシステムにおいてテキストとして記憶させることは普通のことである。
　してみると、引用発明１において、関連ファイルパス名と共に「リンクファイルについてリンクする意図、理由などを表したリンクの説明情報としてのリンク内容情報」をも表示するように、このリンク内容情報を記憶し、「前記リンク内容情報は、ファイル名として入力するのではなく、システムにおいてテキストとして記憶」することは当業者が容易に想到し得ることである。
　
上記相違点（２）について
　画像や画像情報の表示、編集は、画像や画像情報を管理するシステムにおける基本的な機能や作業であるから、画像や画像情報を表示、編集する画面をシステムにおける基礎となる画面として位置づけ、基準表示画面と呼称することは普通に想定されることである。
　してみると、引用発明１において、画像や画像情報を表示し編集する画像情報編集画面を基準表示画面と呼称して、表示手段を「少なくとも基準表示画面を表示できる表示手段」とすることは当業者が容易に想到し得ることである。
　
上記相違点（３）について
　データベースの技術分野において、複数種類の情報をフィールドに分けて管理することは周知である。さらに、全ての検索用フィールドを対象とした検索条件を指定することも周知である。
　また、テキスト検索において、検索テキストが１文字、１単語、１記号のような１ワードであっても検索できることは技術常識である。
　してみると、引用発明１において、検索テキストを１ワードであるものとし、また、インデックス情報をフィールドに分けて全ての検索用フィールドの登録テキストを対象とした検索条件を指定して、「検索テキストが１ワードのテキストであってもその１ワードのテキストがインデックス情報の全ての検索用フィールドの登録テキストに含まれるか否かを判別」することは当業者が容易に想到し得ることである。
　
上記相違点（４）について
　画像や画像情報を表示し編集する画面を基準表示画面と呼称することは、「上記相違点（２）について」において述べたように、普通に想定されることである。
　してみると、引用発明１において、画像情報編集画面を基準表示画面と呼称して、第１表示制御手段を「検索の結果、指定された画像ファイルを表示する第１領域を基準表示画面内に表示させる第１表示制御手段」とし、第２表示制御手段を「検索の結果、指定された画像ファイルのインデック情報を表示する第２領域を基準表示画面内に表示させる第２表示制御手段」とすることは当業者が容易に想到し得ることである。
　
上記相違点（５）について
　引用発明１の関連ファイルパス名は、検索条件に該当する画像に対応するサムネイル画像の中から、ユーザによって選択されたサムネイル画像に関する関連ファイルパス名であるから、関連ファイルは「検索の結果、指定された画像ファイルにリンクされたリンクファイル」であるといえる。
　また、リンク先のファイル名と共にリンク内容情報を表示することは、「上記相違点（１）について」において述べたように、周知である。
　また、画面に情報を表示する際、その画面内に情報を表示する領域を表示させる表示制御手段は周知である。
　また、画像や画像情報の表示、編集する画面を基準表示画面と呼称することは、「上記相違点（２）について」において述べたように、普通に想定されることである。
　してみると、引用発明１において、画像情報編集画面を基準表示画面と呼称して、その基準表示画面内に関連ファイルパス名と共にリンク内容情報を表示し、そのリンク内容情報の表示のために「検索の結果、指定された画像ファイルにリンクされたリンクファイルのリンク内容情報を表示する第３領域を基準表示画面内に表示させる第３表示制御手段」を備えることは当業者が容易に想到し得ることである。
　
上記相違点（６）について
　引用発明１において、画像情報編集画面内に表示される「関連ファイルパス名１」、「関連ファイルパス名２」の文字列、及び、四角形の配置からみて、２つの関連ファイルパス名が箇条書きのように表示されることは普通に想定されることである。
　また、リンク先のファイル名と共にリンク内容情報を表示することは、「上記相違点（１）について」において述べたように周知である。
　また、画面内に情報を表示する際に、表示欄を有する領域を表示することは周知である。
　してみると、引用発明１において、画像情報編集画面内に表示される２つの関連ファイルパス名と共にリンク内容情報を表示し、その表示のために、画面内に第３領域を設けて「第３領域にリンク内容情報が少なくとも表示されるリンクファイルの複数の内容表示欄」を設け、箇条書きのように表示される関連ファイルパス名に合わせて「複数の内容表示欄に箇条書きのように表示」することは当業者が容易に想到し得ることである。
　
上記相違点（７）について
　引用発明１において、関連ファイルパス名によって特定される関連ファイルはリンクファイルであるといえる。
　また、リンク先のファイル名と共にリンク内容情報を表示することは、「上記相違点（１）について」において述べたように、周知である。
　また、画像や画像情報の表示、編集を行う画面を基準表示画面と呼称することは「上記相違点（２）について」において述べたように、普通に想定されることである。
　してみると、引用発明１において、画像情報編集画面を基準表示画面と呼称し、その基準表示画面上において関連ファイルパス名とリンクファイルのリンク内容情報とを表示して、「新たなウィンドウを開かなくても基準表示画面上にリンクファイルのリンク内容情報が表示されるように」することは当業者が容易に想到し得ることである。
　
上記相違点（８）について
　引用発明２は、画像ファイルの詳細項目画面内に関連参照ファイルを開くためのクリック操作を受けるインターフェースを有しているが、ファイルを開く操作によってファイルが表示されることは周知である。
　また、引用発明２はクリック操作を受けるためにファイル名の表示を用いるが、クリック操作を受けるためのインターフェースとして、「操作ボタン画像」を画面内に表示させる表示手段も周知である。
　また、引用発明１において、画像情報編集画面を基準表示画面と呼称することは、「上記相違点（２）について」において述べたように普通に想定されることである。
　また、引用発明１において、関連ファイルパス名によって特定される関連ファイルは、「画像ファイルにリンクされたファイル」であるといえる。
　してみると、引用発明１において、画像情報編集画面を基準表示画面と呼称し、引用発明２を採用してその画面内に画像ファイル、インデックス情報と共に関連ファイルを表示させるためのインターフェースを設け、そのインターフェースとして周知の操作ボタン画像を表示させるために「画像ファイル、インデックス情報が表示されている状態で、その画像ファイルにリンクされたファイルを表示させるための操作ボタン画像を基準表示画面内に表示させる第４表示制御手段」を備えることは当業者が容易に想到し得ることである。
　また、関連ファイルを表示する操作ボタン画像と、関連ファイルの説明情報であるリンク内容情報と関連ファイルパス名は相互に対応するものであるから、引用発明１において、「内容表示欄に対応して、前記操作ボタン画像が設けられた構成」とすることも当業者が容易に想到し得ることである。
　
上記相違点（９）について
　引用発明２は、画像ファイルの詳細項目画面内にクリック操作を受けて関連参照ファイルを開くインターフェースを有しているが、クリック操作を受けるインターフェースとして、オペレータの操作ボタン画像に対する操作があったことに応答するインターフェースは周知である。
　ファイルを開く操作があった場合に、ファイルに対応付けられたアプリケーションプログラムを自動的に起動し、そのファイルをアプリケーションプログラム上で開く手段は、オペレーティングシステムが備える周知の手段である。その際、ファイルをファイル作成プログラムに対応付けることは、普通に想定されることである。
　してみると、引用発明１において、引用発明２を参酌して画像情報編集画面に関連ファイルを開くためのインターフェースとして操作ボタン画像を表示させ、関連ファイルを開くために「オペレータの前記操作ボタン画像に対する操作があったことに応答して、リンクされたファイルをリンクファイル作成プログラム上から開く処理を行う作成プログラム起動手段」を備えることは当業者が容易に想到し得ることである。
　
　そして、本願発明は、全体としてみても引用発明１、２及び周知技術に基づいて当業者が容易に発明をすることができたものであり、本願発明の構成によってもたらされる効果も、引用発明１、２及び周知技術から当業者ならば容易に予測することができる程度のものであって、格別のものとはいえない。
　
第６　むすび 
　したがって、本願発明は、引用刊行物１及び２に記載された発明に基づいて当業者が容易に発明をすることができたものであり、特許法第２９条第２項の規定により特許を受けることができないから、他の請求項について検討するまでもなく、本願は拒絶すべきものである。
　よって、結論の通り審決する。